Podtech/llm-jp-corpus-v4-ja_patent huggingface dataset:
(57)【要約】      （修正有）【課題】マッサージプラス音楽鑑賞と最高のリラックス状態が得られるマッサージ器を提供する。【解決手段】携帯電話のバイブ機能と音楽機能の両方を組み合わせて使用するものである。シェイバーのバイブ機能を使用することもできる。【選択図】図２
2007068137.tif 000002
【特許請求の範囲】
【請求項１】
（イ）携帯電話のバイブ機能を利用してマッサ−ジ器として使用する。
（ロ）携帯電話の電子機能を利用して、バイブの強弱、周波数等のプログラムが自由に設定できる。
（ハ）携帯電話の音楽を聞きながら、マッサ−ジができる。
【請求項２】
（イ）携帯電話と同様にシェイバ−のバイブ機能を利用して、マッサ−ジ器として使用する。
【発明の詳細な説明】
【発明の詳細な説明】
この発明は、携帯電話のバイブ機能を利用してマッサ−ジ器として使用する。
従来のマッサ−ジ器は、マッサ−ジ器の単機能であるが、この方式では、どこでも、だれでもが、携帯している、携帯電話のバイブ機能を利用して、マッサ−ジ器として使用するものである。
本発明は、携帯電話のバイブ機能と音楽機能の両方を組み合わせて使用するもので、マッサ−ジ  プラス  音楽鑑賞と最高のリラックス状態が得られる所に、最大メリットがある。
【図面の簡単な説明】
【図１】携帯電話のヘッドに凸部をつけて、マッサ−ジ機能を持たせた平面図
【図２】携帯電話のヘッドに凸部をつけて、マッサ−ジ機能を持たせた正面図
【図３】携帯電話のヘッドに凸部をつけて、マッサ−ジ機能を持たせた右側面図
【図４】シェイバ−のヘッドに凸部をつけて、マッサ−ジ機能を持たせた平面図
【図５】シェイバ−のヘッドに凸部をつけて、マッサ−ジ機能を持たせた正面図
【図６】シェイバ−のヘッドに凸部をつけて、マッサ−ジ機能を持たせた右側面図
【図１】
2007068137.tif 000003
【図２】
2007068137.tif 000004
【図３】
2007068137.tif 000005
【図４】
2007068137.tif 000006
【図５】
2007068137.tif 000007
【図６】
2007068137.tif 000008
(57)【要約】【課題】大きめの食器、または方形の食器を電磁調理器で加熱する場合、食器は中央部のみ発熱し周辺部に熱が到達せず、温度むらが発生する問題があった。この対策として発熱体にカーボン板を使用した製品が提供されているが、この場合、熱の伝導を良くするためにカーボン板の厚みを厚くする必要があった。本発明は、発熱体であるカーボン板の厚みを増さずに、大きめの食器でも方形の食器でも中央部も周辺部も均等に発熱する食器を提供することを課題とした。【解決手段】電磁調理器で食器を加熱したとき、食器の周辺部まで均等に加熱するためには中央部でドーナッツ状に発熱した熱が上方に伝わりにくいようにすればよい点に着目し、発熱体であるカーボン板の中央部に窪みを作り、その窪みに熱伝導の悪い物質を充填するか、または空気層を設ける事によって食器全体に均等に熱を伝導させることが出来て課題を解決した。【選択図】図１
2007068836.tif 000002
【特許請求の範囲】
【請求項１】
陶器やセラミックスおよび石材などの非磁性体で作られた食器の底面にカーボン板を貼り付けた食器において、カーボンの板が食器と接する部分の全部または一部に熱伝導の異なる部材や空間を設けたことを特徴とする電磁調理器用食器。
【請求項２】
磁性体で作られた食器の底面にカーボンの板を貼り付けた食器において、カーボンの板が食器と接する部分の一部または全部に熱伝導の異なる部材や空間を設けたことを特徴とする電磁調理器用食器。
【請求項３】
請求項１および２の食器において、食器側またはカーボン側の接する面の一部または大部分に窪みを作り、この窪みにカーボンより熱伝導の悪い物質を充填または空気層を設けたことを特徴とする電磁調理器用食器。
【発明の詳細な説明】
【技術分野】
【０００１】
本発明は、電磁調理器で用いられる食器に関するものである。
【背景技術】
【０００２】
この発明は、土鍋や石鍋の底面を薄く削り、その面にカーボン板を固着させ電磁調理器でも使用出来るよう工夫した食器の改良に関するものである。電磁調理器は磁力線を発生させるコイルの形状から加熱される磁性体はドーナッツ状に発熱し、発熱する面積は食器の底面が大きくなっても一定である。そのため、発熱するドーナッツ状の面積より大きい食器の場合、熱が周辺部に到達しにくい欠点があった。この対策として熱の伝導を良くするため発熱体としてのカーボン板は厚みが６〜８ミリのものが使用されている。しかし、カーボン板の厚みが１０ミリを超えるとカーボンの電気抵抗が小さくなり発熱効果は３０％以上低下するため、熱を均等に拡げる対策としてカーボン板を厚くして対応するには限界があった。また、発熱させるにはカーボン板の厚みは３ミリ程度で充分であるにもかかわらず熱を均等に拡げるために高価なカーボンを多量に使用する点も問題であった。
【特許文献１】特開平７−３０３５６９号公報
【発明の開示】
【発明が解決しようとする課題】
【０００３】
本発明は、電磁調理器により加熱されたカーボン板の熱が厚さの方向、つまり上方に伝わりにくくしながら、面の方向に誘導させ鍋底を均等に加熱するにはどのようにすればよいかを課題とした。
【課題を解決するための手段】
【０００４】
陶器やセラミックスおよび石材などの非磁性体で作られた食器において、カーボンの板が食器と接する部分の全部または一部に熱伝導がカーボンよりも悪い部材または空間を設けた。また、鉄板など磁性体の金属で作られた食器の底面にカーボンの板を貼り合わせた食器においても、カーボンの板が食器と接する部分の一部または全部に熱伝導の悪い部材や空間を設けることで課題を解決した。
【発明の効果】
【０００５】
以上述べたように、従来は熱を均等に拡げるために、カーボン板の厚みを厚くして対応していたが厚みを増す対応には限界があった。しかし、本発明によりカーボン板の厚みを増やすことなく、食器の周辺部までほぼ均等に加熱することが出来るようになった。特に方形の鉄板の食器では電磁調理器で加熱した場合、ドーナッツ状に発熱し、四隅には熱が伝わりにくかった。しかし、鉄製の食器に本発明による中央に窪みを設けたカーボン板を貼り合わせ、その窪みに熱伝導の悪いシリコン樹脂を充填したり、または空気層を設けることによって鉄製食器の中心部分から周辺部までほぼ均等に加熱することが出来るようになった。
【発明を実施するための最良の形態】
【０００６】
本発明は、電磁調理器の磁力線が発生する部分を超える大きめの食器を使用する場合、または方形の食器で周辺部まで均等に加熱したい場合に特に有効である。食器の大きさや形状により熱の伝導を妨げる層の厚さや形状を変化させて対応する。
【０００７】
また、食器にもカーボン板にも窪みを作らず、接着剤を部分的に付け、接着剤の厚さの空間を設けて熱が均等になるように作ってもよい。カーボン板から食器の底に伝わる熱は、接着剤のない部分より接着剤により接着されて部分が伝わり易い。また、カーボン板などに付ける窪みの深さは０．１〜２．０ミリ程度でよく、深さも場所により浅く又は深くしてカーボン板の熱が均等に食器に伝わるようにする。また、ごはん用の鍋など、部分的に強く加熱したい場合にも本発明の手法を用いることで容易に対応出来る
【実施例１】
【０００８】
図１は、請求項１の実施例の断面を示す説明図であって、土鍋（１）の底に貼り合わせる６．５ミリのカーボン板（２）の表面を１〜１．５ミリの深さに円形に削り取り、その窪み（３）に接着に用いるシリコン樹脂（４）を充填したのちシリコン樹脂（４）で土鍋の底面に接着し一体化したものである。
図２は韓国料理に用いられる四角の皿状の鍋（５）の断面を示す説明図である。この鍋は鉄製で電磁調理器に対応はするが、鍋が円形でなく正方形であるため、電磁調理器では鍋はドーナッツ状に発熱して、熱が周辺部に伝わらず均等に加熱することが出来なかった。この場合は貼り付けるカーボン板の窪みは円形でもよいが、均等に加熱するためには窪みも正方形とした方が望ましい。また、熱の広がりが必要なところまで窪みを作ると、窪みのない所まで熱が誘導され、周辺部も中央部と同じように加熱された。また窪みの部分の深さを調整することによって窪みの部分も周辺部も均一に加熱されるように調整出来る。
【産業上の利用可能性】
【０００９】
外食産業や一般家庭において大きめの食器を電磁調理器で加熱する場合、電磁調理器の磁力線に対応する中央部分のみが発熱し、鍋底の温度むらが大きく調理しにくい欠点があった。また温度むらが大きいと高温の部分で焦げ付きが発生しやすく、絶えず攪拌する必要があり調理に手間がかかった。本発明の食器を使用することにより、温度むらが小さくなり調理しやすくなった。
【図面の簡単な説明】
【００１０】
【図１】電磁調理器用土鍋の断面を示す説明図である。
【図２】韓国料理に使われる正方形の鉄鍋の断面を示す説明図である。
【符号の説明】
【００１１】
１  土鍋
２  カーボン板
３  カーボン板に設けた窪み
４  シリコン樹脂
５  方形の鉄鍋
【図１】
2007068836.tif 000003
【図２】
2007068836.tif 000004
(57)【要約】【課題】    養殖フグのストレスを抑制し噛み傷や共食いを防ぐためγ−オリザノールを配合した養殖魚のストレス抑制剤を提供する。【解決手段】γ−オリザノールを用いることを特徴とする養殖フグのストレス抑制剤。【特許請求の範囲】
【請求項１】
γ−オリザノールを有効成分とする養殖フグのストレス抑制剤。
【請求項２】
請求項１のストレス抑制剤を０．０１〜１０％混合せしめることを特徴とする養魚用飼料。
【発明の詳細な説明】
【技術分野】
【０００１】  本発明は養殖フグのストレス抑制剤に関し、さらに詳しくはγ−オリザノールを含有する養殖フグのストレス抑制剤に関する。
【背景技術】
【０００２】  高級魚であるトラフグは天然魚の漁獲量が年々減少しており、それに伴い養殖魚の需要が高まっている。しかし、トラフグなどのフグ類は他の養殖魚と比較して過密養殖によるストレスを受けやすく、高密度で養殖すると互いに噛み合い、噛み傷からの感染による疾病や共食などによる消耗を引き起こす。このため歩留まりは平均５０〜６０％程度で、悪い場合にはほとんど残らないこともある。この対策として歯の切除を出荷まで３回ほど行っているが、作業の手間や歯の切除による細菌感染など多くの問題をかかえている（熊井英水編、最新海産魚の養殖、湊文社、２０００年、東京）。
【発明の開示】
【発明が解決しようとするための課題】
【０００３】  本発明の目的は、養殖フグのストレスを抑制し噛み合いや共食いを防ぐことにある。
【０００４】  本発明は、前記の目的を達成するため、種々の天然物質について検討を重ねた結果、米ぬかに含まれるγ−オリザノールが養殖フグのストレスを抑制し、噛み合いや共食いを軽減する効果を持つということを見出し、本発明を完成するに至った。
【課題を解決するための手段】
【０００５】  すなわち、γ−オリザノールを養殖フグに与えることで過密養殖によるストレスを軽減し、噛み合いや共食いを抑制でき得るということを見出した。本発明によるγ−オリザノールはドライペレット、モイストペレットをはじめ、自家製飼料などいずれの形態の養魚飼料にも添加することができる。γ−オリザノールは純品もしくはこの化合物を含む米ぬか抽出物を用いることもできる。
【発明の効果】
【０００６】  本発明のγ−オリザノールを必須成分とする養殖フグのストレス抑制剤は、養殖用配合飼料とともに使用することにより、養殖フグのストレスを抑制し、噛み合いや共食いを軽減する効果を奏する。
【発明を実施するための最良の形態】
【０００７】  養魚用配合飼料に添加するγ−オリザノールの量は、適宜調整することができるが、好ましくは０．００１−１０％の範囲であり、さらに好ましくは０．０１−２％である。また、これらの化合物の投与期間も特に限定されるものではないが、養殖の全期間を通じて投与することが好ましい。【０００８】  本発明において用いられるγ−オリザノールは、下記の化１で示される化合物である。【０００９】
【化１】
2007068527.tif 000002
【００１０】  γ−オリザノールはフェルラ酸のエステルで、Ｒで示されるアルコール部分はステロール、トリテルペンアルコール、高級アルコールなどで構成される化合物である。これらの化合物は、米ぬかをはじめ多くの食物に含まれ、かつヒトが常に摂取しているものであるから、その安全性は確立されている。
【実施例】
【００１１】  以下、実施例により本発明を詳述する。なお、本発明はこの実施例のみに限定されるものではない。
トラフグ稚魚での効果試験
動物質性飼料（オキアミミールおよび魚粉）８０％、穀類（澱粉）６％、その他（全卵粉末、精製魚油、小麦グルテン、ベタイン、リン酸カルシウム、飼料用酵母、大豆レシチンなど）１４％からなる市販の配合飼料をコントロール区の飼料とした。試験区にはこの飼料に、γ−オリザノールをそれぞれ０．２％添加（試験区１）および１％添加（試験区２）した試験飼料を調整した。【００１２】  平均体重２．５ｇ前後のトラフグ稚魚８尾を直径６０．５ｃｍ、深さ５０ｃｍの円筒型水槽に収容して３試験区を設けて３０日間飼育試験を行った。飼育期間中は約２４℃の海水を水槽の深さ４０ｃｍ以上を満たすように流した。各試験飼料は１日１回飽食給餌した。【００１３】  飼育成績を表１に示した。コントロール区では８尾のうち３尾が他のフグに噛まれたことにより斃死した。一方、γ−オリザノールを投与した試験区１および２区では噛まれたことが原因の斃死は無かった。魚体の噛み傷もコントロール区に比べγ−オリザノールを投与した試験区１および２区では少なかった。これらの結果、トラフグにγ−オリザノールを投与することで過密養殖のストレスが軽減され噛みつきや共食いを減少することができた。【００１４】
【表１】
2007068527.tif 000003
【００１５】  さらに、飼料効率はコントロール区が７５．５％であるのに対して試験区１で９８．０％、試験区２で９６．２％とγ−オリザノールを投与したことにより約２０％向上した。日間成長率もコントロール区が０．７３であるのに対して試験区１で０．８１、試験区２で０．８９と優れていた。γ−オリザノールを投与することによりストレスが軽減された結果、噛みつきや、共食いの軽減のみでなく養殖フグの成長を促進することもできた。
(57)【要約】【課題】  本発明は、そのままでは、舌触りそして匂いも味も悪く、摂取することが困難だが、生活習慣病の予防また、ダイエットに有効な成分を多量に含んでいるとされる米ぬかを、手軽に安心して簡単かつ継続的に摂取出来るような物にするのが課題である。【解決手段】  上記課題を解決するために、米ぬかを煎って雑菌を取り除き、カプセル又は、ソフトカプセルで包んだり、圧縮し固めたりたりすることによって、錠剤状のサプリメントにしたり、フレーク状に薄く小さく固め焼いたり、クッキーやビスケットのように味や香りを加え焼いたり、香ばしく煎って味付けしふりかけにしたりすることによって、健康・ダイエット食品にする。  またそれらに各種ビタミン、ミネラルなどを配合する。【選択図】  なし【特許請求の範囲】
【請求項１】
米ぬかを、煎って雑菌を取り除き、カプセル又は、ソフトカプセルで包んだもの、あるいは、圧縮し固め飲みこめる大きさにした、錠剤状のサプリメント。
それに、ビタミンやミネラルを配合したサプリメント。
【請求項２】
米ぬかを、煎って雑菌を取り除き、フレーク状に薄く焼きいたものあるいは、米ぬかを主原料にして、砂糖、塩、バーター、マーガリン、香辛料、フルーツ、チョコレート、抹茶、紅茶、コーヒーなどで味や香りを加え焼いた、クッキーやビスケット状のもの、また、香ばしく煎って、醤油、砂糖、塩、旨み調味料で味付けし、鰹節、青海苔、桜海老、小魚、たまご、等をあわせたふりかけ状の健康・ダイエット食品。
それに、ビタミンやミネラルを配合した健康・ダイエット食品。
【発明の詳細な説明】
【技術分野】
【０００１】  本発明は、さまざまな体に良い栄養を含んでいるがそのままでは舌触りや味、匂いが悪く、摂取しにくい米ぬかを、煎って雑菌などを取り除き、カプセルやソフトカプセルで包んだ錠剤状や、フレーク、クッキー、ふりかけなどに食品化し、薬や、おやつのように手軽に摂取できるようにした画期的なサプリメント及び健康・ダイエット食品である。
この発明により、米ぬかを、継続的に摂取でき、生活習慣病の予防またダイエットが簡単に出来る。また、ビタミン、ミネラルなどを配合することにより、より一層の効果が期待できる。
【背景技術】
【０００２】  従来、米ぬかは食品では、ぬか漬のぬか床として利用される以外使われていないが、その栄養の成分の中には近年、生活習慣病の予防が期待出来るものが多量に含まれていることが分った。
その中のガンマ−オリザノールは、高脂血症の改善薬に利用され、また、更年期の不定愁訴にもよいことが分っている成分である。
それから、ビタミンＥの仲間に属する栄養素のガンマ−トコトリエノールも含まれており、ビタミンＥの１０倍の抗酸化力があるとされている。
そして、最も重要なのは、食物繊維である。
天然の食物繊維の中でも、米ぬかの食物繊維は、コレステロールから作られる胆汁酸との結合力が高く血中コレステロールを下げることが報告されている。また、食物繊維は体内で吸収されずに便として排出されるため便秘を解消し、ダイエットの効果も大いに期待できる。
このように、米ぬかは、生活習慣病の予防、またダイエットに有効な成分が多量に含まれている。（例えは非特許文献１参照）
【非特許文献１】    Ｋａｈｉｌｏｎ  ＴＳ  ａｔ  ａｌ．，Ｃｅｒｅａｌ  Ｃｈｅｍ．  ７７（４）：５１８−５２１，２０００
【開発の開示】
【発明が解決しようとする課題】
【０００３】  しかし、米ぬかは、さまざまな身体に良いとされている成分を多量に含んでいるにもかかわらず、そのままの状態では舌触り、匂い、味が悪く、食品としては、ぬか漬けのぬか床として使われているだけで、安心して簡単で継続的に摂取できる形の物が無かった。
そこで、本発明は、米ぬかを、長期間、無理無く摂取できる物にすることを課題とする。
【課題を解決するための手段】
【０００４】  上記課題を解決するために、米ぬかを、煎って雑菌を取り除き、カプセルやソフトカプセルに入れる、または圧縮して固めるなどで錠剤状のサプリメントにしたり、フレーク、クッキーやビスケットまたはふりかけなどの健康・ダイエット食品にする。また、それらにビタミン、ミネラルなどを配合すればより効果のあるサプリメント、また健康・ダイエット食品にすることが出来る。
【発明効果】
【０００５】  本発明は、次のような効果を奏でる。
米ぬかを、簡単で手軽に安心して摂取できることにより、生活習慣病の予防及びダイエットを、長期間、無理無く続けることができる。
【発明を実施するための最良の形態】
【０００６】１  米ぬかを、煎って雑菌を取り除き、カプセル又は、ソフトカプセルで包んだ錠剤状のサプリメント。
２  米ぬかを、煎って雑菌を取り除き、圧縮し固めた錠剤状のサプリメント。
３  米ぬかを、煎って雑菌を取り除き、フレーク状に薄く焼いた健康・ダイエット食品。
４  米ぬかを、煎って雑菌を取り除き、それを主原料に、砂糖、塩、バーター、マーガリン、香辛料、フルーツ、チョコレート、抹茶、紅茶、コーヒーなどで味や香りを加え焼いた、クッキーやビスケット状の健康・ダイエット食品。
５  米ぬかを、香ばしく煎って雑菌を取り除き、醤油、塩、砂糖、旨み調味料で味付けし、鰹節、青海苔、桜海老、小魚、たまご、等をあわせたふりかけ状の健康・ダイエット食品。
６  １〜５にビタミン、ミネラルを配合したサプリメント及び健康・ダイエット食品。
(57)【要約】      （修正有）【課題】香り成分を浴槽水に溶解し、溶解した香り成分を気泡内に揮発させ、水面での気泡の破裂により香りを放出、拡散させるので、浴槽水は略一定量であり、浴槽水は略一定温度であるために香り成分の浴槽水への溶解をコントロールできるものであり、その結果、香りのコントロールを容易にできる浴槽装置を提供することをその課題とする。【解決手段】浴槽水２中に香り成分４を溶解せしめる香り成分溶解装置３を浴槽本体１に設けると共に浴槽水２中に直径が０．１マイクロメートル〜１００マイクロメートルの微細気泡１１を噴出する微細気泡発生装置９を浴槽本体１に設けてなる浴槽装置である。【選択図】図２
2007068591.tif 000002
【特許請求の範囲】
【請求項１】
浴槽水中に香り成分を溶解せしめる香り成分溶解装置を浴槽本体に設けると共に浴槽水中に直径が０．１マイクロメートル〜１００マイクロメートルの微細気泡を噴出する微細気泡発生装置を浴槽本体に設けてなる浴槽装置。
【発明の詳細な説明】
【技術分野】
【０００１】
本発明は香り成分を効率良く浴槽水中より放出、拡散させる浴槽装置に関するものである。さらに詳しくは、微細気泡の特性である比表面積の大きさから香り成分は浴槽水中において微細気泡内のガス分圧に応じて微細気泡内に効率良く揮発していき、微細気泡が浴槽水面に浮上到達し、破裂し、香りを放出、拡散させる浴槽装置に関するものである。
【背景技術】
【０００２】
従来、浴槽装置として、特許文献１に示す如く、浴槽水に空気を吸い込ませつつ浴槽水内に気泡水として噴出させ、その空気に香り成分を混合した気泡発生装置を備えた浴槽装置は知られている。この従来の浴槽装置は、まず空気に香り成分を混合し、この香り成分を混合した空気を気泡として浴槽水内に噴出せしめるものである。そしてこの気泡が浮上し水面で破裂することにより香りを発散するものである。
【特許文献１】特開２０００−２８８０５４号公報  （図１及び要約）
【発明の開示】
【発明が解決しようとする課題】
【０００３】
上記特許文献１における浴槽装置は、空気に香り成分を混合し、この香り成分を混合した空気を気泡として浴槽水内に噴出せしめるために、香りのコントロールが困難なものである。即ち、空気の温度、乾燥度合等により香り成分の蒸散が異なり、香りの強弱が生じ、コントロールが困難なものである。本発明は、香り成分を浴槽水中に溶解し、微細気泡の高い界面吸着性によりにより微細気泡内に香り成分を取り込むもので、香りのコントロールが容易に行える浴槽装置を提供するものである。
【課題を解決するための手段】
【０００４】
上記課題を解決するために、本発明に係る浴槽装置は、請求項１に記載した如く、浴槽水中に香り成分を溶解せしめる香り成分溶解装置を浴槽本体に設けると共に浴槽水中に直径が０．１マイクロメートル〜１００マイクロメートルの微細気泡を噴出する微細気泡発生装置を浴槽本体に設けてなるものである。
【発明の効果】
【０００５】
請求項１に記載の浴槽装置は、浴槽水中に香り成分を溶解せしめる香り成分溶解装置を浴槽本体に設けると共に浴槽水中に直径が０．１マイクロメートル〜１００マイクロメートルの微細気泡を噴出する微細気泡発生装置を浴槽本体に設けてなるために、略一定の温度で略一定量の浴槽水中に香り成分を溶解させることを容易にコントロールすることができ、微細気泡により香りの強弱がコントロールされるものである。
【０００６】
微細気泡の直径が０．１マイクロメートル〜１００マイクロメートルであるのは最適の微細気泡の大きさを現したもので、下限を下回る直径の微細気泡では微細気泡自体が潰れてしまうものがあり、上限を上回る直径の微細気泡では浴槽水中に留まる時間が少なく水面に速く浮上し破裂するために香りを発散させる効果が充分なものでなくなるものである。
【発明を実施するための最良の形態】
【０００７】
以下、本発明の実施形態について図面を参照して、詳細に説明する。図１は本発明の浴槽装置の実施例を示す説明図であり、１は浴槽本体、２は浴槽水、３は香り成分溶解装置、４は香り成分、５は香り成分保持部、６は吸い込み口、７は循環ポンプ、８は気液溶解タンク、９は微細気泡発生装置、１０は微細気泡発生ノズル、１１は微細気泡である。
【０００８】
浴槽本体１には香り成分溶解装置３と微細気泡発生装置９が設けられている。香り成分溶解装置３は香り成分４を香り成分保持部５に保持し、香り成分保持部５は浴槽水２中に位置し、香り成分４を浴槽水２内に溶解するものである。微細気泡発生装置９は浴槽本体１の吸い込み口６から循環ポンプ７により吸い込んだ浴槽水２を気液溶解タンク８に導き、微細気泡発生ノズル１０より浴槽水２中に微細気泡１１を噴出するものである。
【０００９】
矢印１２は浴槽水２の流れを示すものであり、１３は吸気弁、１４は気体抜き弁である。気液溶解タンク８は吸気弁１３より吸気した空気を浴槽水２に加圧して溶解させるもので、溶解させたものを微細気泡発生ノズル１０より浴槽水２中に噴出すると減圧されたことになり、溶解した空気が微細気泡１１となって噴出する。
【００１０】
微細気泡１１はその直径が０．１マイクロメートル〜１００マイクロメートルの大きさであるのが適したものである。即ち、その直径が０．１マイクロメートルを下回る場合には微細気泡自体が浴槽水２中で潰れてしまうものがあり、不適切である。又、その直径が１００マイクロメートルを上回る場合には微細気泡が浴槽水２中に留まる時間が少なく水面１５に速く浮上し破裂するために香りを発散させる効果が充分でないからである。
【００１１】
微細気泡１１は浴槽水２中で溶解した香り成分４と接触し微細気泡１１内のガス分圧に応じて香り成分４は微細気泡１１内に揮発していく。この場合、微細気泡１１は微細であるため比表面積が大きく、気液界面の面積が増大し、香り成分４の微細気泡１１内への揮発効果も高くなる。
【００１２】
図２は香り成分４が微細気泡１１内へ取り込まれ、水面１５に浮上し、破裂して香りを放出する状態を示したものである。微細気泡１１は浴槽水２中に滞留する時間が長く、香りの持続性に優れているものである。香り成分４は、レモン、ハーブ、ラベンダーなど従来から知られたものが使用可能であり、使用に際しては水溶性高分子により固形状にしてもよく、界面活性剤を使用して水に溶解性の液状にしてもよいものである。香り成分溶解装置３は微細気泡発生ノズル１０前方に設けられるのが微細気泡１１の撹拌効果を利用出来る点で望ましいものであるが特に限定されるものではない。
【図面の簡単な説明】
【００１３】
【図１】本発明にかかる浴槽装置の説明図。
【図２】図１に示す実施例の微細気泡の作用を説明する説明図。
【符号の説明】
【００１４】
１        浴槽本体
２        浴槽水
３        香り成分溶解装置
４        香り成分
５        香り成分保持部
６        吸い込み口
７        循環ポンプ
８        気液溶解タンク
９        微細気泡発生装置
１０      微細気泡発生ノズル
１１      微細気泡
１２      矢印
１３      吸気弁
１４      気体抜き弁
１５      水面
【図１】
2007068591.tif 000003
【図２】
2007068591.tif 000004
(57)【要約】      （修正有）【課題】公害が発生しない骨壺の提供。【解決手段】  自然木を使った木製の骨壺。【選択図】  なし【特許請求の範囲】
自然木を使った木製の骨壷
【発明の詳細な説明】
【発明の詳細な説明】
（イ）〔発明の属する技術分野〕
この特許は二酸化炭素（ＣＯ２）を固定した木製の骨壷で、製作課程では全く公害が発生しない。
（ロ）〔従来の技術〕
従来の骨壷は腐らない、燃えない、而も目方の重い瀬戸物、又は磁器の壷で、製造過程では第一次、第二次加工の必要性と材料の調達に日時を費やした。
（ハ）〔発明が解決しようとする課題〕
従来は遺骨を埋葬するには、一旦陶器磁器の壷から土中にさらけ出して埋める作法は、遺族にとっては余りにも痛々しい光景であるので故人に安堵の念を捧げるためにも、木製の壷のまま埋葬できる。
（ニ）〔課題を解決するための手段〕
この木製の骨壷は目方が軽く、従来の陶器磁器の壷と違って土中に埋葬すると数年で土に還る。
（ホ）〔発明の実施の形態〕
この骨壷は木工ロクロで削り、有機質の材料なので人間の遺骨と密接に結びつく。
（ヘ）〔発明の効果〕
近年地球温暖化防止が叫ばれ、ＣＯ２削減の京都議定書を遵守するためにも、木製であるため制作には一切の公害も発生せず、ＣＯ２を固定したままで土に還り国策に順応する。
（ト）〔陶器磁器の壷の欠点〕
従来の陶器磁器の壷は目方も重く、用済みの処分が産業廃棄物としての処理をする必要があり、経費が余計に必要となる。
【図面の簡単な説明】      〔別紙の図面〕        軽い蓋つきのため音もなく開けられる。
本発明の正面図である。
2007068548.tif 000002
(57)【要約】      （修正有）【課題】油ミストの発生による床、窓ガラス、壁、家具などの汚れや、火傷、あるいは火災の危険を防止し、適切な油の温度を維持する装置を提供する。【解決手段】外気から遮蔽されたキャビネット内にオイル・パンを置き、グリルにのせられた食材を自動的に油に入れ、揚げ上がったら自動的に取出す装置とすることで問題を解決している。また、油の加熱にはヒーターが使われ、油の温度と揚げ時間を設定可能としてあり、揚げ損なう恐れがなく、常に同じ揚げ上がりとなるため、レストランや食堂での使用にも適している。【選択図】図１
2007068549.tif 000002
【特許請求の範囲】
【請求項１】
外気を遮蔽できる箱本体、その内部に揚げる食材をのせることができ、四本の柱にガイドされて上下に可動な金属製グリルとその上下運動のための駆動装置、オイル・パンを基本的構造として持つ自動揚げ装置。
【請求項２】
請求項１に基づく装置において、油の加熱には電気ヒーターが使われ、食材の種類と大きさに応じ油の温度と揚げ時間が設定・制御できるようになっていること。
【発明の詳細な説明】
【発明の詳細な説明】
【０００１】発明の属する技術分野
揚げ物を自動的に行うクッキング装置
【０００２】（従来の技術）
従来、揚げ物をするには、フライパンなどに油を入れ、揚げる食材を加熱した油に入れ、見守りながら取出す作業を繰りかえさねばならず、自動的に全てを行うことはなかった。
【０００３】（発明の解決しようとする課題）
テンプラやフライなどの揚げ物をすると、油ミストが飛散し、ガス・オーブンの上にフードなどが取付けてあるとしても、台所の床が滑るようになったり、ガラス窓や壁、あるいは家具が汚れたりし、揚げ物をするのを嫌う人は少なくない。このため、スーパー・マーケットなどでは調理した揚げ物を売っているが、電子レンジで加熱したとしても、揚げたての味には遠く及ばないし、売られている食材は限られている。テンプラは限られた量の油で適切な温度で揚げるのはそれほど容易なことではなく、からりと上手く揚げ上がるか否かは、もっぱら油の温度と揚げ時間にかかっている。温度が不適切であると、油を多量に含んだ湿ったテンプラとなり、健康上も好ましくない。また、温度が高くなりすぎると、油はたちまち酸化して使えなくなる。更には、見守っていないと火災の危険もあり、油がはぜて火傷を負うこともあるし、人によっては油ミストに“酔う”こともある。また、油を切るために金網や新聞紙などを用意しなければならないし、長時間揚るときは、焦げ付いたテンカスが付着しないよう、ときどき金網ですくわねばならず、フライパンは別の料理にも使用するので、ひとつのフライパンしか持たない家庭では、揚げ物が終わると、油がさめるのを待って移し変えねばならないのも料理をする者にとっては負担である。油ミストが外に飛散しない揚げ物専用自動機を使えば、そうした問題は一挙に解決できることになる。すなわち、他の料理と違い、揚げ物はそれなりの装置を使う必要があるということである。
【０００４】（課題解決の問題点）
家庭でも使用できる装置とするには、安価に製造でき、保守点検を必要とせず、安全に使用できねばならない。
【０００５】（発明実施の形態）
本発明の原理はいたって簡単である。すなわち、外気を遮蔽することのできる箱状のキャビネット内に油を入れた容器を置き、油を電気ヒーターで加熱して揚げ、発生した油ミストはフィルターを通して除去する装置とするに過ぎない。装置の原理と使用方法を添付の図面に基づき以下に記すこととする。
装置は前面に扉（２）をもつ箱体（１）、その中に収容されたオイル・パン（３）、揚げ物をのせるグリル（４）、そのグリル（４）を保持しているグリル・フレーム（５）、上下をベアリング（７）で支えられておりグリル（４）を上下させることのできる二本のネジ柱（６）、グリル（４）の動きのガイドとなる四本の丸柱（８）、ネジ柱（６）にモーター（１０）の回転力を伝える歯車（９）、ミストを除去するフィルター（１１）を基本とした構造となっている。グリル・フレーム（５）にはネジ柱（６）にネジ込まれた丸ナット（１２）が取付けてあり、グリル・フレーム（５）は、丸柱上を滑ることができるように短い筒状部品（１３）を備えている。オイル・パンに入れられた油は電気ヒーター（１４）で加熱され、その温度は自動的に制御される。
【０００６】使用に際しては、例えば小麦粉のドウとパン粉をまぶしたエビ（図には示されていない）をグリル上に乗せ、装置の電源を入れる。油はヒーターにより加熱され、予め設定した温度になると、モーターが始動し、ネジ柱が回転するため、ネジ柱に取付けたナットによりグリル・フレームは下に向う。グリルが下がり、エビが油に入り込むとネジ柱の回転は止まる。設定した時間が経過すると、モーターは逆転を開始し、グリルは上昇して、元の位置までくると停止するので、料理人は扉を開け、揚げ上がったエビ・フライをとり出す。一度揚げるだけで終わる場合、そのままグリル上にエビフライを乗せておけば、冬などしばらくの保温ができる。
【０００７】図２はテンカスを取去ることのできるオイル・パンを示す。すなわち、オイル・パン（３）の三分の一ほどの深さのバイパス路（１５）をオイル・パン（３）に取り付け、そのバイパス路（１５）に、油面から突き出た立ち上り部（１７）を持つ金網（１６）を沈めておく、小型モーター（１８）で駆動するスクリュー（１９）を回転させ、狭い切欠部（２０）から油を引き込むことにより、浮いているテンカスはこのバイパス路（１５）に流れ込み、金網の立ち上り部（１７）で捕捉されるので、テンカスが溜まったら、ネットを上げてテンカスを取去る。このモーターとスクリューならなる攪拌部は、スクリューを下に向けて傾斜させ、スクリュー軸を上下できるようにするともっとも簡単であろう。
【０００７】この装置を完全密閉した状態にしておくと装置内の圧力が高まり危険であるので、排気する必要がある。これは内部の加熱された空気を交換可能な排気フィルター（１１）を通して外部に排気するようによっている。また、側壁下方にもフィルターが取付けてあるが、これはある程度外気を取入れ、扉を開けたとき、熱風に吹かれないようにするためである。また、使用を終わったら、折り畳まれた蓋（図には示されていない）を直ちに広げてオイル・パンを覆い、空気との接触をできる限り制限し、油の酸化を防ぐようにする。これにより、厄介な油を移しかえる手間が省けるし、次ぎに揚げるとき、直ちに始めることができる。
【０００８】この装置には、食材とそのサイズに応じて油の温度と揚げ時間を設定できる制御装置が使われているため、揚げ損ないをすることがないし、いつも同じ状態に揚げ上がるので、食堂、レストランなどでの使用にも適している。多量の揚げ物をする店では、大型の装置を導入することで大幅に省力化できるし、今まで揚げ物を扱っていなかった店でも、技術を要せず直ちに揚げ物をメニューに加えることができる。また、スーパー・マーケットやコンビニストアなどに装置を備えておき、客からの注文があったとき揚げ、出来たてのエビ・フライを提供することもできる。
【図面の簡単な説明】図１  基本的構造と動さ原理を示す、平面図、正面図  と側面図
図２  テンカスを除去する部分を示す平面図
【図１】
2007068549.tif 000003
【図２】
2007068549.tif 000004
【図３】
2007068549.tif 000005
(57)【要約】【課題】  完全に脱衣しドアのフックにかけるという対策はこれまでにあった。しかしながら、以上の技術によれば狭いトイレの中での脱衣は困難であり、脱衣、着衣の際床面にズボンが接着してしまうリスクもあった。完全脱衣には時間もかかり、作業中胸のポケットからものを便器に落とすリスクもあった。また、より原始的にトイレ利用中手でズボンを持ち上げながら用を足す技術があったが、両手を使うことができない不便さがある。そこで、この発明は、完全脱衣の手間を省き、両手を開放し、ズボンの汚れを気にするストレスから開放する清潔で衛生的なトイレの利用を実現することを課題とする。【解決手段】  そこで、本発明は、トイレの洋式便器に棒状のズボン支持棒を設備させたことを特徴とする落下防止装置付きトイレである。【選択図】図１
2007068773.tif 000002
【特許請求の範囲】
【請求項１】
トイレの洋式便器に着座した際両足の間に、ずり下ろしたズボンを支持する棒状あるいは板状の落下防止装置をトイレの洋式便器に設備させたことを特徴とするズボン落下防止装置付きトイレ。
【請求項２】
ずり下ろしたズボンを支持する棒状あるいは板状の落下防止装置に脱着機能を備え、洋式便器、トイレ床面あるいは、トイレ壁面に取り付け、取り外しを容易にさせたことを特徴とするズボン落下防止装置付きトイレ。
【発明の詳細な説明】
【技術分野】
【０００１】
本発明は、洋式便器を利用するとき、ずり下ろしたズボンが床面に落下することを防止するための装置であり、トイレの洋式便器に棒状の落下防止装置を設備させたことを特徴とする。
【背景技術】
【０００２】
従来の洋式便器は、腰掛けたまま、作業ができることから便利であった。だが、利用する際には、ズボンを完全に脱衣しない限り、ずり下ろされたズボンは洋式便器を利用している最中、床面に落下することがあった。その場が濡れた床面の場合には、ズボンが濡れたり、ズボンが不衛生な床面に接着する危険性があった。
【発明の開示】
【発明が解決しようとする課題】
【０００３】
完全に脱衣しドアのフックにかけるという対策はこれまでにあった。しかしながら、以上の技術によれば、狭いトイレの中での脱衣は困難であり、脱衣、着衣の際床面にズボンが接着してしまうリスクもあった。完全脱衣には時間もかかり、作業中胸のポケットからものを便器に落とすリスクもあった。また、より原始的にトイレ利用中手でズボンを持ち上げながら用を足す技術があったが、両手を使うことができない不便さがある。そこで、この発明は、完全脱衣の手間を省き、両手を開放し、ズボンの汚れを気にするストレスから開放する清潔で衛生的なトイレの利用を実現することを課題とする。
【課題を解決するための手段】
【０００４】
以上の課題を解決するために、本発明は、トイレの洋式便器に棒状のズボン支持棒を設備させたことを特徴とする落下防止装置付きトイレである。
【発明の効果】
【０００５】
洋式トイレを利用している最中、ずり下ろされたズボンは又の部分が棒状のズボン支持棒に掛かりズボンがトイレの床面に落下することを防ぐ。その場が濡れた床面の場合には、ズボンが濡れたり、ズボンが不衛生な床面に接着する危険性から回避され、手で掴み落下を防いでいたストレスから開放される効果がある。
【発明を実施するための最良の形態】
【０００６】
この発明の一実施形態を、図１に示す。
この装置の本体１は金属製、プラスチック製、紙製など如何なる素材でもズボンを支持できるものであればよい。また形状は棒状、板状が考えられる。折りたたみ式、スライド式あるいはアンテナの棒のように伸縮する形状も考えられる。また脱着式にすることで、洋式便器、床面あるいは壁面に装着して使用したり、置いたり、差し込んだりすることで使用することが可能。
【０００７】
「実施形態の効果」
この実施形態によれば、この洋式トイレのズボン落下防止装置にズボンを掛けることで、その場が濡れた床面の場合には、ズボンが濡れたり、ズボンが不衛生な床面に接着する危険性から回避され、手で掴み落下を防いでいたストレスから開放される効果がある。
【図面の簡単な説明】
【０００８】
【図１】洋式便器にズボン落下防止装置（棒状の形態）装着（側面から見た図）
【図２】洋式便器にズボン落下防止装置（板状の形態）装着（側面から）
【図３】トイレ床面にズボン落下防止装置（棒状の形態）装着（側面から見た図、床面の脱着部分に装置を差込み、使用する状態）
【図４】ズボン落下防止装置がない便座便器を使用したときの図（便座にすわり、ズボンを下ろした状態。下ろしたズボンが床面に落下している。洋式トイレを正面から見たもの。
【図５】正面からの図（便座に腰掛け、ズボンを下ろした状態。ズボン落下防止装置が機能。ズボンの又部分がズボン落下防止装置に掛かり、ズボン落下防止装置がズボンの床面への落下を防いでいる状態。）
【符号の説明】
【０００９】
１  ズボン落下防止装置
２  トイレの洋式便器
３  ズボン
４  脱着部分
【図１】
2007068773.tif 000003
【図２】
2007068773.tif 000004
【図３】
2007068773.tif 000005
【図４】
2007068773.tif 000006
【図５】
2007068773.tif 000007
(57)【要約】【課題】コウリャン色素よりも製造が簡単で、コウリャン色素と同じ成分を含有する食品素材を提供する。またこの食品素材を添加した加工食品を提供する。【解決手段】コウリャン実の殻を粉末状に粉砕したものを、食品用素材として提供する。またこの食品素材を添加した加工食品を提供する。原料となるコウリャン実の殻は、特定のコウリャン（ソルガム）品種のものでなくてもよい。粉砕した殻の粉末の大きさは特に規定しないがより細かいものが利用に適している。【選択図】なし【特許請求の範囲】
【請求項１】
コウリャン実の殻を粉砕して得られた粉末状の食品素材。
【請求項２】
請求項1の食品素材を他の食品素材に添加混合した加工食品。
【発明の詳細な説明】
【技術分野】
【０００１】
本発明は食品素材とその加工食品に関する。
【背景技術】
【０００２】
食品の加工において、食品色素によって着色することは、見栄えを良好なものにするために大変重要である。食品色素には天然由来のもの及び人工的に化学合成されたものがある。天然由来の色素の中には、着色剤としての機能のみならず、健康増進に寄与する物質が含まれている場合があり、近年注目を集めている。
【０００３】
天然由来の食品色素として、コウリャン色素がある。コウリャン色素は、コウリャン（ソルガム）由来の色素であり、わが国では古くから食品色素として使用されている。またコウリャン色素は、アピゲニンやルテオリンを含んでおり、アピゲニンおよびルテオリンは抗アレルギー作用のある物質として報告されている。
【０００４】
コウリャン色素は、コウリャン実の殻を水またはアルコール水溶液に浸せきさせることによって色素成分を抽出し、その上澄み液から水またはアルコール水溶液を蒸発させることによって固体または粉末の色素を得る。従ってコウリャン色素の製造においては、溶媒での抽出工程と溶媒を揮発させる工程が不可欠である。
【特許文献１】特表平８−５１０７３５号公報
【特許文献２】特開平１０−２９８０９８号公報
【発明の開示】
【発明が解決しようとする課題】
【０００５】
本発明の目的は、コウリャン色素よりも製造が簡単で、かつアピゲニンやルテオリンなどのコウリャン色素成分と同じ成分を有し、また着色料としても使用可能な食品素材を提供することである。
【課題を解決するための手段】
【０００６】
前述の課題を解決するために、本発明は、コウリャン実の殻を粉砕して粉末状にしたものを食品素材とした。またこれを添加して加工食品とした。以下に本発明の詳細な説明を記す。  
原料となるコウリャン実の殻は、特定のコウリャン（ソルガム）品種のものでなくてもよい。粉砕した殻の粉末の大きさは特に規定しないがより細かいものが利用に適している。
【発明の効果】
【０００７】
コウリャン実の殻の粉末を添加して製造する加工食品は、パン類、麺類、菓子類、飲料、健康食品の錠剤など、あらゆる加工食品に適用できる。
【実施例１】
【０００８】
以下に本発明による実施例を示すが、本発明はこれに限定されるものではない。
中国産コウリャン実の殻を水で洗浄乾燥後、ボールミルを用いて粉砕して粒径0.1mm以下の粉末を得た。
【０００９】
＜分析例＞実施例1の粉末中に、コウリャン色素の成分であるアピゲニン、ルテオリン、アピゲニニジン、ルテオリニジンが含まれているか分析を行った。まず実施例1の粉末1gを、10mlのメタノール−酢酸溶液（容積比95:5）に室温で9.5時間浸せきした後、上澄み液を採取した。次にこの上澄み液を、HPLCで分析した。HPLCのカラムはODSカラム（GL
Sciences   Inertsil ODS-80A）を使用し、移動層は A液（水−酢酸−りん酸水溶液（容積比85:15:1.5））とB液（アセトニトリル−酢酸溶液（容積比85:15））を用い、100%A液から25%A液の40分間のリニアグラジエントを行い（流速1mm/min）、検出にはフォトダイオードアレー検出器を用いた。得られたHPLCのチャートには、アピゲニン、ルテオリン、アピゲニニジン、ルテオリニジンの各標準品と同じ保持時間のピークがあり、実施例1の粉末にはこれらの成分が含まれていることを確かめた。
【実施例２】
【００１０】
バター95重量部に食塩0.3重量部、砂糖80重量部を加えてよく混ぜ合わせ、さらに卵黄30重量部を加えてよく混ぜ合わせ、これをＡとした。別に薄力粉100重量部と実施例1の粉末10重量部を均一に混ぜ、これをＢとした。ＡにＢを均一に混ぜ、直径3から4cm、厚さ０.５cmの大きさの形状にして160℃のオーブンで14分焼いて焼き菓子とした。
【００１１】
＜比較例＞実施例2に示したＡに、薄力粉110重量部を加えて均一に混ぜ、直径3から4cm、厚さ０.５cm大きさの形状にして160℃のオーブンで14分焼いて焼き菓子とした。
【００１２】
実施例2の焼き菓子と比較例の焼き菓子を比べると、実施例2の焼き菓子は赤褐色に着色されており、実施例1の粉末が着色料として使用可能なことが確認された。また実施例2の焼き菓子を試食したところ、比較例の焼き菓子と同様に美味であった。
【産業上の利用可能性】
【００１３】
以上述べたように本発明は、コウリャン色素と同じ成分の全てが含まれることによる
生体健康保全への寄与が期待できるとともに、着色料としても有用である。また本発明品の製造は、コウリャン色素のように抽出工程、濃縮工程を必要としないので特別な装置を必要とせず極めて安価にかつ簡便に目的物を得ることができるものである。
(57)【要約】【課題】舌で味わったとき、発熱が生じるようにし、訴求力のある食品とする。【解決手段】糖類の存在下で根菜類、茎類、葉類及び果実類を熟成させた植物発酵液のエキスと、山野草の発酵液とを配合した乳酸発酵品に対して、でんぷん、コーンスターチ、ビタミンＢ群、ビタミンＣを含有させたものである。【選択図】なし【特許請求の範囲】
【請求項１】
糖類の存在下で根菜類、茎類、葉類及び果実類を熟成させた植物発酵液のエキスと、山野草の発酵液とを配合した乳酸発酵品に対して、でんぷん、コーンスターチ、ビタミンＢ群、ビタミンＣを含有させたことを特徴とする乳酸発酵食品。
【請求項２】
さらに、コエンザイムＱ１０、Ｌ−カルニチン酒石酸塩、カプサイシン、オキシカインを含む乳酸発酵食品。
【発明の詳細な説明】
【技術分野】
【０００１】
本発明は、植物発酵液のエキス由来の乳酸発酵食品に関する。
【背景技術】
【０００２】
植物発酵液のエキスが、現代人に不足しがちな多くの栄養成分を含むことを知られており、多くのものは粉末状の分包品として市販されている。
【特許文献１】特開２００１−１９０２５１公報
【発明の開示】
【発明が解決しようとする課題】
【０００３】
しかし、市販品は味がなく、しかも粉末状であるために食味の点で無味乾燥であり、当該食品が多くの有効成分を含んでいても、消費者に対して訴求力がないものとなる。
そこで、本発明は、舌で味わったとき発熱が生じ、その発熱が当該食品の訴求力となる食品を提供することにある。
【課題を解決するための手段】
【０００４】
上記課題を解決した本発明は次記のとおりである。
＜請求項１項記載の発明＞
糖類の存在下で根菜類、茎類、葉類及び果実類を熟成させた植物発酵液のエキスと、山野草の発酵液とを配合した乳酸発酵品に対して、でんぷん、コーンスターチ、ビタミンＢ群、ビタミンＣを含有させたことを特徴とする乳酸発酵食品。
【０００５】
＜請求項２項記載の発明＞
さらに、コエンザイムＱ１０、Ｌ−カルニチン酒石酸塩、カプサイシン、オキシカインを含む乳酸発酵食品。
【発明の効果】
【０００６】
本発明のものは、舌で味わったとき発熱が生じる。その原理は不明であるが、舌上の水分との接触により発熱反応が生じるものと思われる。その発熱は消費者の舌を刺激し、興味のある味わいを与える。
【発明を実施するための最良の形態】
【０００７】
本発明では、糖類の存在下で、免疫賦活作用を示す、根菜類、茎類、葉類及び果実類を熟成させた植物発酵液を製造する。
この発酵は３週間程度で完了する。
この乳酸発酵品液をでんぷん、コーンスターチに吸着させた後、乾燥品とする。
これにビタミンＢ群、ビタミンＣ、コエンザイムＱ１０、Ｌ−カルニチン酒石酸塩、カプサイシン、オキシカインを配合して製品とする。
【０００８】
使用野菜や果物の例としては、キャベツ、ダイコン、カブ、ハクサイ、タマネギ、ナス、キュウリ、ニンニク、ホウレンソウ、ピーマン、パセリ、ニンジン、バナナ、スイカ、パイナップル、ブドウ、ナシ、カキ、リンゴ及びキウイなどを挙げることができる。
【０００９】
乳酸菌としては、エンテロコッカス・フェカーリス、トレプトコッカス・ラクチス、ストレプトコッカス・サーモフィルス、ラクトバチルス・プランタルム、ラクトバチルス・サリバリウス、ラクトバチルス・ブレビス、ラクトバチルス・カゼイ、ラクトバチルス・アシドフィルス、ラクトバチルス・ヘルベティクス、ビフィドバクテリウム・ビフィダム、ビフィドバクテリウム・ロングム及びビフィドバクテリウム・ブレーベよりなる群から選ばれた１種又は２種以上の乳酸菌からなるものを使用できる。
【００１０】
本発明の食品は、粉末状であるのが一般的であるが、必要により、顆粒状、錠剤状、カプセル化剤とすることもできる。
【実施例】
【００１１】
キャベツ、ダイコン、セロリ、トマト、玉ねぎ、ピーマン、もやし、小松菜、アスパラガス、レンコン、しょうが、すいか、ニンニク、かぼちゃ、さといも、人参、シイタケ、キュウリ、らっきょ、やまいも、ゴボウ、米、小麦、大豆、マクワウリ、ほうれん草、冬瓜、白菜、野沢菜、パセリ、ワケギ、フキ、柿、リンゴ、イチジク、バナナ、メロン、パイナップル、キウイ、ナシ、わかめ、昆布、ひじきによる植物発酵液のエキスと、山野草の発酵液とを配合した乳酸発酵品に対して、でんぷん、コーンスターチ、ビタミンＢ群、ビタミンＣ、及びコエンザイムＱ１０、Ｌ-カルニチン酒石酸塩、カプサイシン、オキシカインを含ませた。
【００１２】
これを１０名の試食者に試食してもらったところ、１０名すべての者が舌上が熱くなると感じ、興味のある食品であるとの評価であった。
また、１０名の試食者について、サーモグラフ（Ｎｅｏ Ｔｈｅｒｍｏ ＴＶＳ−７００ 日本アビオニクス(株）製）により口を開けた状態で舌の中央部分の摂取前後の表面温度を測定した平均値は、摂取前で３２．４℃、摂取後５秒で４０．１℃であった。この結果は、舌上が熱くなるとの評価と一致するものであり、現実に発熱反応が生じているものである。
(57)【要約】      （修正有）【課題】ダウンロ−ドに、よるＨＤＤへの書き込みが、可能の為！ＭＤへの、録再生が好みのジャンルで、ＣＤを取り替える事なく！！！ラクに、楽しめる！！！【解決手段】ダウンロ−ドに、よる録再生で、ＣＤを買う、必要が無くなる！！！【選択図】図１
2007242208.tif 000002
【特許請求の範囲】
【請求項１】
今までは、ＣＤからの音楽再生でした！！好きな曲順に、録再生するのに、色々！！手が掛りました！今度の、ステレオは好きな曲を、ダウンロ−ドして、好みの曲に録再生できます！！！いつも聞くような、好みの曲をＨＤＤに、手軽に聞く曲をＭＤに、このみの、サウンドが、楽しめます！！！パソコンへも、つなげられ！！！パソコンからの、録再生も可能！！！ＣＤ−ＲＷ  作りにも、役立ちます！！！（書類名）    業界初！！！好きな、音楽をダウンロ−ドしてステレオ（小型や大型の）で、クリアな音声を、録再生する！！！ＭＤやＨＤＤ搭載型
【発明の詳細な説明】
【技術分野】
【０００１】このステレオは、好きな曲を好きな時にダウンロ−ドして、録再生が楽しめる！！！
【背景技術】
【０００２】従来の、ステレオはＣＤでの音楽再生でしたが！！！携帯同様ダウンロ−ドでの、音楽！！！再生などがフルニ楽しめます！！！
【背景技術】
【０００３】このステレオは、ＨＤＤに、書き込めます！！！パソコンへの、接続も可能！！！（非特許文敵１）  ソニ−電機  １３面  読売新聞２００６年  ソニ−電機株式会社（発明が解決しょうとする課題）【０００４】ダウンロ−ドで好みの曲の、録再生！！！
【課題を解決するための手段】
【０００５】携帯電話の、ようにダウンロ−ドして、クリアな音楽を今度はステレオで自由に、楽しめる！！！
【発明の効果】
【０００６】好きな曲を、好きな時にいつでも、楽しめる！！！
【発明を実施するための最良の形態】
【０００７】ＨＤＤに、書き込んで再生したり、ＭＤに録音した！！！クリアな曲を楽しむ事が、最良！！！
【実施例】
【０００８】携帯電話の、ダウンロ−ドを参考に、考えて見ました！！！
【産業上の利用可能性】
【０００９】これからの、業者の思向性に限られます！！！
【図面の簡単な説明】
【００１０】見た目は、普通のステレオです！！！
【図１】
2007242208.tif 000003
【手続補正書】
【提出日】平成18年7月7日(2006.7.7)
【手続補正１】
【補正対象書類名】明細書
【補正対象項目名】００１０
【補正方法】変更
【補正の内容】
【００１０】
【図１】  ステレオの、正面図